(57)【要約】【課題】スイッチが、ＤＰＩ機能を用いてメディア解像度、端末の解像度、ユーザの要求事項を把握して、端末機能とともにネットワーク状況を考慮した最適の解像度でメディアを伝達することができるシステムおよび方法を提供する。【解決手段】ＤＰＩ機能を用いたシームレスなオンデマンドサービス提供システムおよび方法を開示する。オンデマンドサービス提供システムは、メディアのシグネチャーを認識し、前記認識されたシグネチャーに収録されたメディアの解像度、ユーザが保有する端末の解像度、およびユーザの要求事項の情報に応じて、メディア解像度を変換するスイッチと、端末認証またはユーザ認証を行う認証管理サーバと、端末機能、メディア特性、ユーザの要求事項を考慮して経路を設定する政策制御サーバと、を含む。【選択図】図３
2011130407.tif 000002
【特許請求の範囲】
【請求項１】
メディアのシグネチャーを認識し、前記認識されたシグネチャーに収録されたメディアの解像度、ユーザが保有する端末の解像度、およびユーザの要求事項の情報に応じて、メディア解像度を変換するスイッチと、
端末認証またはユーザ認証を行う認証管理サーバと、
端末機能、メディア特性、ユーザの要求事項を考慮して経路を設定する政策制御サーバと、
を含むことを特徴とするオンデマンドサービス提供システム。
【請求項２】
前記スイッチは、ＩＰパケットのペイロードを処理する能力を有し、応用サービスに応じて前記メディアのシグネチャーを分析し、メディアの解像度を変換するＤＰＩプロセッサを有することを特徴とする請求項１に記載のオンデマンドサービス提供システム。
【請求項３】
前記スイッチは、端末またはユーザを認証し、メディアデータのシグネチャーを検出し、メディアデータの送信量を測定し、受信側の端末に適するメディアの解像度に変換することを特徴とする請求項１に記載のオンデマンドサービス提供システム。
【請求項４】
前記認証管理サーバは、端末認証情報およびユーザ認証情報リストを有し、前記認証情報リストを用いて認証管理を行うことを特徴とする請求項１に記載のオンデマンドサービス提供システム。
【請求項５】
料金情報を管理する課金管理サーバをさらに含み、
前記スイッチは、前記応用サービスを終了した後にユーザ情報と課金情報を前記課金管理サーバに送信することを特徴とする請求項１に記載のオンデマンドサービス提供システム。
【請求項６】
前記政策制御サーバは、ＤＰＩ情報を格納し、前記スイッチに前記格納されたＤＰＩ情報を送信し、前記スイッチを通過するメディアが用いられる端末機能、メディア特性、ユーザの要求事項に対応する応用メディアサービス経路を設定し、前記設定されたメディア経路情報を前記スイッチに送信し、前記課金管理サーバにメディアレベルおよび経路設定と関連する課金情報を送信することを特徴とする請求項５に記載のオンデマンドサービス提供システム。
【請求項７】
スイッチが、端末認証情報リストを用いて端末認証の要請時に認証を処理するステップと、
前記スイッチが、ユーザ認証情報リストを用いて既存のサービスについてのユーザに対する認証を処理するステップと、
前記スイッチが、ＤＰＩプロセッサを用いて送信されたメディアデータのペイロードにあるシグネチャーを認識し、サービス使用端末の解像度情報を把握するステップと、
前記スイッチが、前記把握された端末の解像度情報を比較して最も低い解像度にメディアを変換するステップと、
前記スイッチが、政策制御サーバから伝達された経路情報を用いてシームレスなオンデマンドサービスを提供するステップと、
を含むことを特徴とするオンデマンドサービスの提供方法。
【請求項８】
前記スイッチが、メディアデータの送信量を測定するステップと、
前記スイッチが、前記ＤＰＩプロセッサを用いてシグネチャーを認識するか、または映像内容のパターンを認識して、許容しないメディアを遮断するステップと、
をさらに含むことを特徴とする請求項７に記載のオンデマンドサービスの提供方法。
【請求項９】
前記スイッチが、前記端末またはユーザ認証を失敗した場合、認証管理サーバに認証の失敗を通知するステップをさらに含むことを特徴とする請求項７に記載のオンデマンドサービスの提供方法。
【請求項１０】
前記政策制御サーバが、ＤＩＰ情報を格納し、前記スイッチに前記ＤＰＩ情報を送信するステップと、
前記政策制御サーバが、前記スイッチを通過するメディアが用いられる端末機能、メディア特性、ユーザの要求事項を考慮して応用メディアのサービス経路を設定するステップと、
前記政策制御サーバが、前記設定された応用メディアのサービス経路を前記スイッチに送信するステップと、
前記政策制御サーバが、応用メディアのレベルおよび前記経路設定と関連する課金情報を課金管理サーバに送信するステップと、
をさらに含むことを特徴とする請求項７に記載のオンデマンドサービスの提供方法。
【請求項１１】
前記スイッチが、サービスを終了した後、ユーザ情報と前記測定されたメディアデータの送信量を課金管理サーバに送信するステップをさらに含むことを特徴とする請求項８に記載のオンデマンドサービスの提供方法。
【発明の詳細な説明】
【技術分野】
【０００１】
本発明は、通信ネットワークにおいて、シームレスなオンデマンドサービスを提供するシステムおよび方法に関し、より詳しくは、端末機能、ネットワーク状況またはユーザの要求事項を考慮し、メディアの解像度を変更してリアルタイムにオンデマンドサービスを提供するシステムおよび方法に関する。
【０００２】
本発明は、知識経済部および情報通信研究振興院のＩＴ成長動力技術開発事業の一環として行われた研究から導き出されたものである［課題管理番号：２００６−Ｓ−０６４−０４、課題名：ＢｃＮネットワークエンジニアリング技術研究］。
【背景技術】
【０００３】
一般に、放送通信融合の環境においてコンテンツを提供するとき、サービスは様々なネットワーク環境と様々な端末から最適のサービスを提供することができなければならない。このときに実現可能な方法としてのＳＶＣ（Ｓｃａｌａｂｌｅ  Ｖｉｄｅｏ  Ｃｏｄｉｎｇ）では、１つのビットストリームに様々な解像度の映像を入れなければならないため、１つのビットストリームで携帯電話、ＰＤＡ、ＰＣ、ＤＭＢ、ＩＰＴＶなどのような様々なネットワーク端末を支援（サポート）することが効果的であるが、各解像度の映像を入れたビットストリームは、無線端末である場合は通信帯域幅の制限が多いためサービスの提供が難しい場合もある。
【０００４】
現在、様々な端末に足しあわせてコンテンツを提供する方法では、ＳＶＣを用いて多重解像度メディアを送信しているが、無線端末の場合は通信帯域幅の制限により、提供されるメディアのレベル（例えば、プレミアムレベルのマルチメディア、音声、ビデオなど）に応じた様々なサービスが提供されていない。
【０００５】
また、放送以外の端末間の双方向の通信では、互いに異なる種類の端末に対し通信を行うことができるが、このとき端末に提供されるメディアの解像度の適用は、各手段端末において、受信画面のサイズを合わせることによって形成される。このとき、通信を行う端末間の提供可能な解像度の差が極めて大きい場合、通信サービスが提供されないという短所がある。例えば、ユーザが画像電話サービスを利用しようとする場合、端末のサイズは携帯電話のように小さいサイズからテレビのように大きいサイズまで多様に存在し得るが、有線通信を用いるテレビ端末のユーザと無線通信を用いる携帯電話のユーザの場合、送信側のテレビ端末を介して大きい解像度を有するメディアを携帯電話のユーザに送信しても、無線通信では帯域幅の限界のために大容量のメディア送信ができないため、端末間の画像電話サービスの提供が不可能である。
【０００６】
一方、メディアを送信するときに、送信端末は、自分が提供可能な解像度にメディアを送信し、受信端末は、受信したメディアに対して自分に適する解像度に調整して表示されるようにするが、送信端末よりも受信端末の提供可能な解像度が極めて低い場合、送信端末では、高解像度にメディアを送信して多くの通信帯域の幅を用いることになるが、受信端末では、端末に適する低解像度のメディアへサービスが提供されるようになる。このとき、受信側のユーザは実際に提供されるサービスよりも高い回線利用の費用が課金されてしまうという問題がある。
【０００７】
また、ユーザが端末を変更する場合にも、シームレスなサービスを提供しなければならないが、このとき端末は、様々な形態の様々な解像度を有することから、メディア解像度の変更を効果的な方法によってリアルタイムに適用し、ネットワークの種類変化によるネットワークの経路状況も変更されなければならない。
【０００８】
様々な応用メディアに対してシームレスなサービスを提供するためには、端末の変更に対応して変更された端末に最適のサービスを提供しなければならないが、端末の変更は、メディア解像度の変化、ネットワーク種類の変化、ネットワーク状況による経路変化、端末機能、ユーザの要求事項の変化などが発生する場合もあり、このような変化をメディアの伝達時に必ず考慮することで最適のオンデマンドサービスを提供することのできる方策が求められる。
【発明の概要】
【発明が解決しようとする課題】
【０００９】
本発明は、スイッチが、ＤＰＩ（Ｄｅｅｐ  Ｐａｃｋｅｔ  Ｉｎｓｐｅｃｔｉｏｎ）機能を用いてメディアの解像度、端末の解像度、ユーザの要求事項を把握して、端末機能とともにネットワークの状況を考慮した最適の解像度でメディアを伝達することのできるシステムおよび方法を提供する。
【課題を解決するための手段】
【００１０】
本発明の一実施形態に係るオンデマンドサービス提供システムは、メディアのシグネチャーを認識し、前記認識されたシグネチャーに収録されたメディアの解像度、ユーザが保有する端末の解像度、およびユーザの要求事項の情報に応じて、メディア解像度を変換するスイッチと、端末認証またはユーザ認証を行う認証管理サーバと、端末機能、メディア特性、ユーザの要求事項を考慮して経路を設定する政策制御サーバと、を含む。
【００１１】
本発明の一側面によると、前記スイッチは、ＩＰパケットのペイロードを処理する能力を有し、応用サービスに応じて前記メディアのシグネチャーを分析し、メディアの解像度を変換するＤＰＩプロセッサを有してもよい。
【００１２】
また、本発明の一側面によると、前記スイッチは、端末またはユーザを認証し、メディアデータのシグネチャーを検出し、メディアデータの送信量を測定し、受信側の端末に適するメディアの解像度に変換してもよい。
【００１３】
また、本発明の一側面によると、前記認証管理サーバは、端末認証情報およびユーザ認証情報リストを有し、前記認証情報リストを用いて認証管理を行ってもよい。
【００１４】
また、本発明の一側面によると、料金情報を管理する課金管理サーバをさらに含み、前記スイッチは、前記応用サービスを終了した後にユーザ情報と課金情報を前記課金管理サーバに送信してもよい。
【００１５】
また、本発明の一実施形態によるオンデマンドサービスの提供方法は、スイッチが、端末認証情報リストを用いて端末認証の要請時に認証を処理するステップと、前記スイッチが、ユーザ認証情報リストを用いて既存のサービスについてのユーザに対する認証を処理するステップと、前記スイッチが、ＤＰＩプロセッサを用いて送信されたメディアデータのペイロードにあるシグネチャーを認識し、サービス使用端末の解像度情報を把握するステップと、前記スイッチが、前記把握された端末の解像度情報を比較して最も低い解像度にメディアを変換するステップと、前記スイッチが、政策制御サーバから伝達された経路情報を用いてシームレスなオンデマンドサービスを提供するステップとを含む。
【００１６】
また、本発明の一側面によると、前記スイッチが、メディアデータの送信量を測定するステップと、前記スイッチが、前記ＤＰＩプロセッサを用いてシグネチャーを認識するか、または映像内容のパターンを認識して、許容しないメディアを遮断するステップとをさらに含んでもよい。
【００１７】
また、本発明の一側面によると、前記スイッチが、前記端末またはユーザ認証を失敗した場合、認証管理サーバに認証の失敗を通知するステップをさらに含んでもよい。
【００１８】
また、本発明の一側面によると、前記政策制御サーバが、ＤＩＰ情報を格納し、前記スイッチに前記ＤＰＩ情報を送信するステップと、前記政策制御サーバが、前記スイッチを通過するメディアが用いられる端末機能、メディア特性、ユーザの要求事項を考慮して応用メディアのサービス経路を設定するステップと、前記政策制御サーバが、前記設定された応用メディアのサービス経路を前記スイッチに送信するステップと、前記政策制御サーバが、応用メディアのレベルおよび前記経路設定と関連する課金情報を課金管理サーバに送信するステップとをさらに含んでもよい。
【００１９】
また、本発明の一側面によると、前記スイッチが、サービスを終了した後、ユーザ情報と前記測定されたメディアデータの送信量を課金管理サーバに送信するステップをさらに含んでもよい。
【発明の効果】
【００２０】
本発明によれば、通信ネットワークにおいてシームレスな応用サービスを提供するため、端末の変化要求時に最適の解像度でリアルタイムにメディアを送信することができる。
【００２１】
また、本発明によれば、スイッチのＤＰＩ技術を用いて端末機能、メディア特性、ユーザの要求事項の情報を獲得することができ、獲得した情報を用いて最適の解像度を有するメディアに変換し、政策制御サーバが獲得した情報とネットワーク状況を考慮して経路を設定することによって、ユーザにシームレスな最適のオンデマンドサービスを提供することができる。
【００２２】
また、本発明によれば、端末の変化によるメディア情報の変更が異なるサーバにて行われることなくスイッチから提供されるため、より早くメディア送信が可能になり、また、端末認証とユーザ認証とが異なることから、ユーザが端末の所有主に従属することなく様々な端末におけるサービスを用いることができる。
【００２３】
また、本発明によれば、ネットワーク事業者の政策（ポリシー）にしたがって認証しない端末において、ユーザ認証だけを行ってサービスを提供することができる。
【図面の簡単な説明】
【００２４】
【図１】本発明に係るシームレスな応用サービスのために様々な端末が用いられるネットワークの構成図を示す図である。
【図２】ユーザが応用サービスを用いている途中でユーザ端末を変更しようとする場合に、オンデマンドのシームレスなサービスを提供するためのネットワークの構成図である。
【図３】ＤＰＩ技術を適用したスイッチと接続される管理サーバを含む通信ネットワークの構成図である。
【図４】シグネチャーと制御情報が含まれるＩＰパケットフォーマットを示す図である。
【図５】スイッチの側面において、サービスの提供時に送信メディアの解像度の変換手続きを示すフローチャートである。
【図６】スイッチの側面において、サービスの提供時に送信メディアの解像度の変換手続きを示すフローチャートである。
【図７】ユーザ端末の側面において、サービスの利用中に端末を変更するときの制御手続きを示すフローチャートである。
【図８】ユーザ端末の側面において、サービスの利用中に端末を変更するときの制御手続きを示すフローチャートである。
【発明を実施するための形態】
【００２５】
以下、添付された図面を参照して、ＤＰＩ機能を用いたシームレスなオンデマンドサービス提供システムおよび方法を詳細に説明することにする。
【００２６】
図１は、本発明に係るシームレスな応用サービスのために様々な端末が用いられるネットワークの構成図を示す図である。
【００２７】
図１を参照すれば、本発明に係るシームレスな応用サービスのためのネットワーク構造１００は、様々な端末１０１、１０２、１０３、１０４、１０５、通信ネットワーク１１０、スイッチ１１１、サーバ１２０、１２１、およびＤＰＩプロセッサ１１２を含む。
【００２８】
通信ネットワーク１１０から提供されるシームレスな応用サービスは、携帯電話１０１、移動端末が搭載された自動車１０２、有線端末１０３、ＴＶ１０４、画像電話１０５のように様々な端末を用いて提供されてもよい。このとき、応用サービスの品質管理は、ＤＰＩプロセッサ１１２を用いてプレミアムサービスの提供が可能になる。
【００２９】
スイッチ１１１は、ＤＰＩプロセッサ１１２を有し、ＤＰＩプロセッサ１１２は、ＩＰパケットのペイロードを処理する能力を有し、応用サービスに応じてシグネチャー（ｓｉｇｎａｔｕｒｅ）を分析して映像を変換する。
【００３０】
このように、本発明に係る応用サービスの提供システム１００は、移動端末を含むＩＰアドレスを用いるすべての端末から音声、映像、データ、無線通信または様々なコンテンツ情報などを用いるときに、ＤＰＩ機能を用いてシームレスな応用サービスを提供することができる。
【００３１】
図２は、ユーザが応用サービスを用いている途中でユーザ端末を変更しようとする場合に、オンデマンドのシームレスなサービスを提供するためのネットワークの構成図である。
【００３２】
図２を参照すれば、ユーザが応用サービスを用いている途中でユーザ端末を変更しようとする場合に、オンデマンドのシームレスなサービスを提供するためのネットワークの構成図２００は、端末２０１、２０２、２０３、スイッチ２０４、および通信ネットワーク２１０を含む。
【００３３】
例えば、家でＰＣを用いるユーザＡとＴＶ２０２を用いるユーザＢとの間の画像電話サービスを利用しようとするとき、端末Ａ２０１は、端末Ｂ２０２から解像度の高いメディアが送信され、端末Ａ２０１に適する解像度に変換した後に表示する。このとき、解像度の変換はスイッチ２０４にて行ってもよく、スイッチ２０４は、映像メディアの変換機能がなくても十分に通信可能であろう。
【００３４】
ところで、ユーザＡが移動のために端末Ａ２０１から端末Ｃ２０３に端末を変更しながらサービスを続けて利用しようとする場合、端末Ｃ２０３は、端末Ｂ２０２から解像度の高いメディアを受信しなければならないが、無線ネットワークのリソースが限定されていることから、帯域幅の制限により端末Ｃ２０３と端末Ｂ２０２の画像電話サービスが不可能になることを防ぐために、スイッチ２０４が動作される。このとき、本発明に係るスイッチ２０４は、予め端末Ｃ２０３の特性に適するようにメディアを低い解像度に変換して端末Ｃ２０３へ送信するため、小さい帯域幅の使用により端末Ｃ２０３と端末Ｂ２０２の画像電話サービスが可能になる。
【００３５】
一方、ユーザＡが有する端末Ａ２０１から友人であるユーザＣの携帯電話である端末Ｃ２０３に画像電話端末を変更しようとする場合、まず端末Ｃ２０３の端末認証を受けた後、ユーザＡが端末Ｃ２０３にサービスを使用するためのユーザ認証を受けなければならない。このとき、端末認証は事業者の方針に応じて提供しない場合もあり、ユーザ認証方式は簡単に端末を介してユーザの認証番号を入力することによって認証を要請してもよい。また、ユーザは自分の要求事項に適するよう端末の解像度を選択するか、またはサービスの品質などを要求してもよい。端末の認証時に端末の解像度情報は、スイッチ２０４に送信されて格納され、提供サービスの端末の変更によってメディアの解像度の変化などが発生すれば、このような情報は、メディアを送信するときにメディアのペイロードに含まれて送信され、スイッチ２０４のＤＰＩプロセッサ（図２に図示せず）によって検出してもよい。
【００３６】
このように、本発明に係る応用サービスの提供システム２００は、端末の変化によるメディア情報の変更が異なるサーバで行われるのではなく、スイッチから提供されるため、より早くメディアを送信することができ、端末認証とユーザ認証とが異なるため、ユーザが端末の所有主に従属することなく様々な端末におけるサービスを用いることができる。
【００３７】
スイッチ２０４は、ＤＰＩプロセッサを含むスイッチであって、様々な応用メディアを送信するときにＤＰＩ機能を用いてデータのペイロードを処理する能力を有するが、データのシグネチャーを検出してメディアの解像度情報を抽出し、抽出された情報を用いてメディアの解像度を変換させる。また、スイッチ２０４は、応用メディアのデータ送信量を測定することができ、政策制御サーバ（図２に図示せず）から伝達された経路情報を含んでいる。
【００３８】
図３は、ＤＰＩ技術を適用したスイッチと接続される管理サーバを含む通信ネットワークの構成図である。
【００３９】
図３を参照すれば、通信ネットワークの構造３００は、ユーザ端末３０１、３０３、スイッチ３０２、政策制御サーバ３０４、認証管理サーバ３０５、および課金管理サーバ３０６を含む。
【００４０】
スイッチ３０２は、端末３０１がオン（ｏｎ）されて端末認証を要請するとき、スイッチ３０２に格納された端末認証情報リストを用いて端末認証を行ってもよい。
【００４１】
端末認証の後に端末３０１に対するユーザ認証が行われるべきであるが、既存のユーザである場合、スイッチ３０２に格納されたユーザ認証情報を用いて認証できる。これは、サービスの初期にユーザが認証管理サーバ３０５を介して認証でき、認証管理サーバ３０５に格納された認証情報をスイッチ３０２に送信する。
【００４２】
ユーザ認証の後に、スイッチ３０２が、変更された端末３０１とユーザの情報を認証管理サーバ３０５に送信すると、認証管理サーバ３０５は、認証されたユーザの情報を管理する。すなわち、認証管理サーバ３０５は、端末認証情報およびユーザ認証情報リストを有し、認証情報リストを用いて認証管理を行う。
【００４３】
端末とユーザを認証した後スイッチ３０２は、ＤＰＩ機能を用いてデータシグネチャーを検出してもよいが、このときメディアの解像度を認識してもよく、パケット制御情報を検出して送信／受信端末３０１、３０３の解像度を認識する。スイッチ３０２は、認識された送信／受信端末３０１、３０３の解像度のうち低い解像度に合わせて変換したデータを送信する。このとき、スイッチ３０２は、送信されたデータの送信量を測定してもよい。ここで、有線通信の場合、メディアの解像度の変換機能がなくても充分に通信できるが、無線通信の場合には解像度の変換が極めて重要である。
【００４４】
一方、ユーザは、提供されるサービスに対して端末の解像度とメディアレベルなどを新しく要求してもよい。すなわち、ユーザは端末において提供可能なメディアの解像度またはメディアレベルが複数である場合、自分が希望する解像度またはメディアレベルを選択してもよい。
【００４５】
スイッチ３０２は、メディアの解像度、端末の解像度、およびユーザが新しく要求したサービスの品質情報に適するよう、メディアの解像度を変換する。スイッチ３０２は、ＤＰＩ機能を用いて獲得したシグネチャー情報とパケット制御情報（端末の解像度、ユーザの要求事項）を政策制御サーバ３０４に伝達する。
【００４６】
政策制御サーバ３０４は、サービスの提供端末の変更によって行われ得る有無線ネットワーク種類の変化、ネットワーク相互による経路変化、ユーザの要求事項、解像度の変化を反映して、新しく経路情報を構成して、スイッチ３０２に送信する。また、政策制御サーバ３０４は、ＤＰＩ情報を有し、格納されたＤＰＩ情報をスイッチ３０２に送信する。すなわち、政策制御サーバ３０４は、ＤＰＩ情報を格納し、スイッチ３０２に格納されたＤＰＩ情報を送信し、スイッチ３０２を通過するメディアが用いられる端末機能、メディア特性、ユーザの要求事項に対応する応用メディアサービス経路を設定してもよい。
【００４７】
スイッチ３０２は、応用サービスを終了した後、ユーザ情報と測定されたデータ送信量などの課金情報とを課金管理サーバ３０６に送信する。
【００４８】
政策制御サーバ３０４は、設定されたメディア経路情報をスイッチ３０２に送信し、課金管理サーバ３０６にメディアレベルおよび経路設定と関連する課金情報を送信してもよい。
【００４９】
図４は、シグネチャーと制御情報が含まれるＩＰパケットフォーマットを示す図である。
【００５０】
図１および４を参照すれば、ＤＰＩプロセッサ１１２は、ＩＰパケットのペイロードを処理する機能を有するが、ペイロードにはシグネチャーと制御情報が含まれてもよい。シグネチャーは、映像メディアの解像度情報を含んでもよく、制御情報は、ユーザが保有する端末の解像度とユーザの要求事項などを含んでもよい。ＤＰＩプロセッサ１１２は、ＤＰＩ機能によって追加的に生成されてもよいが、シグネチャーと制御情報を分析して映像を変換してもよい。
【００５１】
一方、端末から提供可能なメディアの解像度が複数である場合、ユーザの要求事項に応じて解像度を選択および変更してもよく、ユーザは、サービス品質のレベルを新しく要求してもよい。
【００５２】
図５および図６は、スイッチの側面においてサービスを提供するとき、送信メディアの解像度の変換手続きを示すフローチャートである。
【００５３】
図５および図６を参照すれば、スイッチはユーザ端末から要請されたサービスに対する接続を試み（Ｓ５０１）、サービス提供のために要請された端末認証を行う（Ｓ５０２）。すなわち、スイッチは、端末認証情報リストを用いてサービスの接続が試みられたユーザ端末に対する端末認証を処理する。
【００５４】
スイッチは、端末認証情報リストにユーザ端末に対する認証情報が存在しなければ、認証管理サーバに端末認証の失敗を通知する（Ｓ５２１）。
【００５５】
スイッチは、端末認証が完了した場合、認証された端末に対するユーザ認証を行う（Ｓ５０３）。すなわち、スイッチは、ユーザ認証情報リストを用いて既存サービスのユーザに対する認証を処理する。
【００５６】
スイッチは、ユーザ認証情報リストに認証された端末のユーザ認証情報が存在しなければ、認証管理サーバにユーザ認証の失敗を通知する（Ｓ５２２）。
【００５７】
スイッチは、ユーザ認証が完了すれば、ユーザ端末にメディアを送信し、ＤＰＩ機能を用いてメディアのデータシグネチャーを検出し、メディアの解像度情報を検出し、端末の解像度およびユーザの要求事項などのような制御情報を検出する（Ｓ５０４）。
【００５８】
スイッチは、送信端末と受信端末との間の解像度が相違するか否かを判断する（Ｓ５０５）。
【００５９】
スイッチは、端末間の解像度が相違すれば、低い解像度にメディアを変換する（Ｓ５０６）。すなわち、スイッチは、送信端末と受信端末との間の解像度が低ければ、送信端末の解像度および受信端末の解像度のうち更に低い解像度に送信メディアの解像度を変換する。
【００６０】
スイッチは、送信端末と受信端末との間のサービス接続を提供する（Ｓ５０７）。
【００６１】
スイッチは、サービスが提供される送信端末または受信端末から端末変更が要求されるか否かを判断する（Ｓ５０８）。
【００６２】
スイッチは、端末変更が要求される場合、変更する端末の認証を行って認証成功の是非を判断する（Ｓ５０９）。すなわち、スイッチは、端末認証情報をリストを用いて変更する端末を行い、行われた端末認証の結果に応じて認証成功の是非を判断する。
【００６３】
スイッチは、変更する端末の認証を成功しなければ、認証管理サーバに端末認証の失敗を通知する（Ｓ５２３）。
【００６４】
スイッチは、変更する端末の認証を成功すれば、変更する端末に対するユーザ認証を行ってユーザ認証成功の是非を判断する（Ｓ５１０）。すなわち、スイッチは、ユーザ認証情報リストを用いて変更する端末に対するユーザ認証を行った結果に応じて、ユーザ認証成功の是非を判断する。
【００６５】
スイッチは、変更する端末に対するユーザ認証を成功しなければ、認証管理サーバにユーザ認証の失敗を通知する（Ｓ５２４）。
【００６６】
スイッチは、ユーザ認証を成功すれば、変更する端末にサービスの提供端末を変更する（Ｓ５１１）。
【００６７】
スイッチは、サービスを提供する端末が変更されれば、ＤＰＩ機能を用いて変更される端末に対するデータシグネチャー、メディアの解像度、端末の解像度、またはユーザの要求事項を検出し（Ｓ５０４）、変更された端末によって送信端末と端末との間の解像度が相違するか否かを判断し（Ｓ５０６）、端末間の解像度が相違する場合、低い解像度にメディアを変換し（Ｓ５０７）、変換された解像度のメディアを送信してサービスの接続を提供する（Ｓ５０８）。
【００６８】
スイッチは、変更された端末に対するサービス接続が提供されれば、前の端末に対するメディア送信を中止する（Ｓ５１２）。
【００６９】
このように本発明に係る応用サービスの提供方法では、端末機能、メディア特性、ネットワーク状況、またはユーザの要求事項を考慮して、シームレスな応用サービスをリアルタイムに提供することができる。
【００７０】
図７および図８は、ユーザ端末の側面においてサービスの利用中に端末変更する時の制御手続きを示すフローチャートである。
【００７１】
図７および図８を参照すれば、ユーザ端末はサービスの接続を試み（Ｓ６０１）、端末認証を要請する。スイッチは、ユーザ端末から端末認証の要請に応じて端末認証を行う。端末認証が失敗した場合、スイッチは認証管理サーバに端末認証の失敗を通知する。
【００７２】
ユーザ端末は、端末認証されたか否かを判断し（Ｓ６０２）、端末認証された場合にユーザ認証を要請する。このとき、スイッチはユーザ端末からユーザ認証要請に応じてユーザ認証を行う。ユーザ認証が失敗した場合、スイッチは、認証管理サーバにユーザ認証の失敗を通知する（Ｓ６２１）。
【００７３】
ユーザ端末は、ユーザ認証されたか否かを判断し（Ｓ６０３）、ユーザ認証された場合、スイッチからサービスが提供される（Ｓ６０４）。
【００７４】
ユーザ端末は、ユーザから端末の変更要求があるか否かを判断する（Ｓ６０５）。
【００７５】
ユーザ端末は、ユーザから端末の変更が要求された場合、変更する端末の認証をスイッチに要請して変更する端末の認証が成功したか否かを判断する（Ｓ６０６）。スイッチは、変更する端末の認証を成功することができなかった場合、認証管理サーバに端末認証の失敗を通知する（Ｓ６２３）。
【００７６】
ユーザ端末は変更する端末の認証が成功した場合、ユーザ認証をスイッチに要請してユーザ認証が成功したか否かを判断する（Ｓ６０７）。スイッチは、ユーザ認証を成功することができなかった場合、認証管理サーバにユーザ認証の失敗を通知する（Ｓ６２４）。
【００７７】
ユーザ端末はユーザ認証が成功すると、ユーザから変更要請された端末に変更される（Ｓ６０８）。
【００７８】
ユーザ端末は、ユーザから端末の解像度の変更が要求されているか否かを判断する（Ｓ６０９）。
【００７９】
ユーザ端末は、ユーザから端末解像度の変更が要求されている場合、ユーザから要求された解像度を選択する（Ｓ６１０）。
【００８０】
ユーザ端末は、選択された解像度に適するメディアの連続サービスを提供し（Ｓ６１１）、変更前に端末はサービスを中止する。
【００８１】
このように、本発明に係る応用メディアサービスの提供方法では、ユーザがサービスを用いている間に端末変更を所望した場合、変更する端末の認証およびユーザ認証を行った後、端末の解像度の変更を選択すれば、選択された解像度に適するメディアの連続サービスを提供することができる。
【００８２】
上述したように、本発明は、例として限定された実施形態と図面によって説明したが、本発明は、上記の実施形態に限定されることなく、本発明が属する分野における通常の知識を有する者であれば、このような素材から多様な修正および変形が可能である。
【００８３】
したがって、本発明の範囲は説明された実施形態に限定されて決められてはならず、後述する特許請求の範囲だけでなく、この特許請求の範囲と均等なものなどによって定められなければならない。
【図１】
2011130407.tif 000003
【図２】
2011130407.tif 000004
【図３】
2011130407.tif 000005
【図４】
2011130407.tif 000006
【図５】
2011130407.tif 000007
【図６】
2011130407.tif 000008
【図７】
2011130407.tif 000009
【図８】
2011130407.tif 000010